(57)【要約】【課題】主動側動力伝達輪４と従動側動力伝達輪５との間に無端帯状体７を巻掛けし、この無端帯状体のうち前記両動力伝達輪間において緩み側になる部分の外周面に、この無端帯状体に沿って延びるように構成したガイド体８を接触し、このガイド体を、ばね等のテンショナ１０にて、内向きの方向に押圧付勢して成るテンション装置において、前記ガイド体の一端部１１が、前記無端帯状体の延びに追従して動力伝達輪５に過度に押圧されることを回避する。【解決手段】前記ガイド体における一端部１１を、当該一端部が前記ガイド体における内向き移動にて動力伝達輪に対して接触したとき、動力伝達輪から離れるように構成する。【選択図】                            図１
2005036856.tif 000002
【特許請求の範囲】
【請求項１】
主動側動力伝達輪と従動側動力伝達輪との間に無端帯状体を巻掛けし、この無端帯状体のうち前記両動力伝達輪間において緩み側になる部分の外周面に、この無端帯状体に沿って延びるように構成したガイド体を接触し、このガイド体を、ばね等のテンショナにて、内向きの方向に押圧して成るテンション装置において、
前記ガイド体における一端部を、当該一端部が前記ガイド体における内向き移動にて動力伝達輪に対して接触するか、或いは前記無端帯状体を動力伝達輪との間に挟む状態になったとき、動力伝達輪から離れるように構成したことを特徴とする動力伝達用無端帯状体におけるテンション装置。
【請求項２】
前記請求項１の記載において、前記一端部が、前記動力伝達輪に対して接触するか、或いは前記無端帯状体を動力伝達輪との間に挟む状態になったとき、折れる構成であることを特徴とする動力伝達用無端帯状体におけるテンション装置。
【請求項３】
主動側動力伝達輪と従動側動力伝達輪との間に無端帯状体を巻掛けし、この無端帯状体のうち前記両動力伝達輪間において緩み側になる部分の外周面に、この無端帯状体に沿って延びるように構成したガイド体を接触し、このガイド体を、ばね等のテンショナにて、内向きの方向に押圧して成るテンション装置において、
前記ガイド体における一端部を、弾性に抗して外向き方向に屈曲できるように構成したことを特徴とする動力伝達用無端帯状体におけるテンション装置。
【発明の詳細な説明】
【０００１】
【発明の属する技術分野】
本発明は、内燃機関におけるタイミングチエン又はタイミングベルト等のように、二つの動力伝達輪体の間に巻掛けした動力伝達用無端帯状体において、当該無端帯状体を緊張するためのテンション装置に関するものである。
【０００２】
【従来の技術】
従来、内燃機関において、そのクランク軸の回転をカム軸に伝達するために、前記クランク軸上における主動スプロケットと、前記カム軸上における従動スプロケットとの間に巻掛けしたタイミングチエン（又はタイミングベルト）は、当該タイミングチエンのうち前記両スプロケット間において緩み側になる部分の外側に、このタイミングチエンの長手方向に沿って延びるように薙刀状に形成したガイド体を接触して、このガイド体を、ばね等のテンショナにて、内向き方向に押圧付勢することにより、所定のテンションで緊張するように構成していることは、例えば、特許文献１及び２に記載されているとおり、良く知られている。
【０００３】
【特許文献１】
特開平１０−３１１３９５号公報
【特許文献２】
特開２００２−８９６３６号公報
【０００４】
【発明が解決しようとする課題】
このテンション装置において、前記ガイド体は、その一端部を一方のスプロケットにできるだけ近接するように延長するという構成にすることが、チエン外れの防止とか、或いは、チエンの噛合音を低減する等の意味から好ましいことである。
【０００５】
しかし、このように構成すると、前記タイミングチエンにおける過度の延びに追従して、前記ガイド体が大きく内向きに移動したとき、このガイド体における一端部が一方のスプロケットに対して、大きな力で過度に押し付けられることになるから、大きな騒音が発生するばかりか、この部分にチエンが噛み込むという故障が発生するおそれがある等の問題があった。
【０００６】
本発明は、これらの問題を解消したテンション装置を提供することを技術的課題とするものである。
【０００７】
【課題を解決するための手段】
この技術的課題を達成するため本発明の請求項１は、
「主動側動力伝達輪と従動側動力伝達輪との間に無端帯状体を巻掛けし、この無端帯状体のうち前記両動力伝達輪間において緩み側になる部分の外周面に、この無端帯状体に沿って延びるように構成したガイド体を接触し、このガイド体を、ばね等のテンショナにて、内向きの方向に押圧して成るテンション装置において、
前記ガイド体における一端部を、当該一端部が前記ガイド体における内向き移動にて動力伝達輪に対して接触するか、或いは前記無端帯状体を動力伝達輪との間に挟む状態になったとき、動力伝達輪から離れるように構成した。」
ことを特徴としている。
【０００８】
また、請求項２は、
「前記請求項１の記載において、前記一端部が、前記動力伝達輪に対して接触するか、或いは前記無端帯状体を動力伝達輪との間に挟む状態になったとき、折れる構成である。」
ことを特徴としている。
【０００９】
次に、本発明の請求項３は、
「主動側動力伝達輪と従動側動力伝達輪との間に無端帯状体を巻掛けし、この無端帯状体のうち前記両動力伝達輪間において緩み側になる部分の外周面に、この無端帯状体に沿って延びるように構成したガイド体を接触し、このガイド体を、ばね等のテンショナにて、内向きの方向に押圧付勢して成るテンション装置において、
前記ガイド体における一端部を、弾性に抗して外向き方向に屈曲できるように構成した。」
ことを特徴としている。
【００１０】
【発明の作用及び効果】
前記請求項１の記載によると、ガイド体が、無端帯状体の延びに追従して内向きに移動することによって、その一端部が動力伝達輪体に対して接触したとき、この一端部は、動力伝達輪体から離れることにより、この一端部における動力伝達輪体に対する押圧接触が解除されるから、激しい騒音が発生すること、及び、無端帯状体の噛み込みが発生することを確実に低減できる。
【００１１】
この場合において、請求項２に記載した構成にすることで、前記一端部が動力伝達輪体から離れるように構成することを、至極簡単な構成にて実現できる利点がある。
【００１２】
また、前記請求項３の記載によると、前記一端部が動力伝達輪体に対して接触したときにおける過度の押圧を、その弾性に抗しての外向き方向への屈曲によって緩和することができるから、激しい騒音が発生すること、及び、無端帯状体の噛み込みが発生することを確実に低減できる。
【００１３】
【発明の実施の形態】
以下、本発明の実施の形態を、内燃機関に適用した場合の図面について説明する。
【００１４】
図１は、第１の実施の形態を示す。
【００１５】
この図において符号１は、内燃機関のシリンダブロック（図示せず）におけるクランク軸を、符号２は、前記内燃機関のシリンダヘッド（図示せず）における吸気弁（図示せず）に対するカム軸を、符号３は、前記内燃機関のシリンダヘッド（図示せず）における排気弁（図示せず）に対するカム軸を各々示す。
【００１６】
前記クランク軸１に嵌着した主動側のスプロケット（動力伝達輪体）４と、前記両カム軸２，３に嵌着した従動側のスプロケット（動力伝達輪体）５，６との間には、タイミングチエン（無端帯状体）７を巻掛けすることにより、前記クランク軸１の回転を半分に減速して両カム軸２，３を伝達して、この両カム軸２，３を矢印の方向に回転するように構成されている。
【００１７】
前記タイミングチエン７のうち緩み側の部分、つまり、前記クランク軸１上のスプロケット４と、吸気弁用のカム軸２上のスプロケット５との間の部分には、前記タイミングチエン７の長手方向に沿って延びるように薙刀状に形成したガイド体８を、当該ガイド体８がタイミングチエン７の外周面に接触するように配設して、このガイド体８における下端部、つまり、前記主動側スプロケット４側の端部を、前記内燃機関のシリンダブロックに対してピン９にて回転自在に枢着する一方、前記ガイド体８を、前記シリンダブロック又はシリンダヘッド等に設けた油圧又はばね式のテンショナ１０にて内向き方向に回動するように付勢することにより、前記タイミングチエン７を所定のテンションで緊張するように構成している。
【００１８】
そして、前記ガイド体８における上端部、つまり、吸気弁用スプロケット５側の一端部１１には、当該一端部１１をガイド体８からブレイクするための切欠溝１２を設ける。
【００１９】
この構成において、ガイド体８が、タイミングチエン７の延びに追従して内向きに移動することによって、その一端部１１が吸気弁用スプロケット５に対して接触したとき、この一端部１１は、図１に二点鎖線で示すように、その切欠溝１２の箇所で折れて、吸気弁用スプロケット５から離れることになるから、前記一端部１１における前記吸気弁用スプロケット５に対する過度な押圧接触が解除される。
【００２０】
なお、この折れた一端部１１′は、落下して、その下方に設けたボックス１５内に入るように構成されている。これにより、折れ片が、他の部分等における回転を阻害するような不具合が発生することを回避できる。
【００２１】
次に、図２及び図３は、第２の実施の形態を示す。
【００２２】
この第２の実施の形態は、前記ガイド体８のうち前記吸気弁用スプロケット５側の一端部１１ａを、前記ガイド体８に対して外向きの方向に自在に回転するようにピン１３にて連結し、この一端部１１ａと前記ガイド体８との間には、前記ピン１３よりも内側にずれた部分に引っ張りばね１４を装架して、この引っ張りばね１４により、前記一端部１１ａをガイド体８に対して真っ直ぐの状態に保持するように構成したものである。
【００２３】
この構成によると、ガイド体８が、タイミングチエン７の延びに追従して内向きに移動することによって、その一端部１１ａが吸気弁用スプロケット５に対して接触したとき、この一端部１１ａは、これに真っ直ぐの状態に保持する引っ張りばね１４のばね力に抗してピン１３を中心にして外向きに回動し、前記引っ張りばね１４における作用線が前記ピン１３の中心より外側に移動したとき、つまり、いわゆる支点越えしたとき、前記引っ張りばね１４にて、図３に示すように、外向きに折れ曲がって、吸気弁用スプロケット５から離れることになるから、前記一端部１１ａにおける前記吸気弁用スプロケット５に対する過度な押圧接触が解除される。
【００２４】
前記第１の実施の形態によると、ガイド体８を元の状態に復元することはできないが、前記第２の実施の形態による構成によると、ガイド体８を、当該ガイド体８に対して一端部１１ａを真っ直ぐに連結した状態に復元できるから、繰り返して使用できる利点がある。
【００２５】
次に、図４は、第３の実施の形態を示す。
【００２６】
この第３の実施の形態は、前記ガイド体８における一端部１１ｂを、板ばね等の弾性体製にするか、或いは、板ばね等の弾性体を介してガイド体８に連結することにより、弾性に抗して外向き方向に屈曲できるように構成したものであり、この構成によると、前記一端部１１ｂが吸気弁用スプロケット５に対して接触したときに、二点鎖線で示すように、その弾性に抗して外向きに屈曲するから、この弾性に抗しての外向き方向への屈曲によって、当該一端部１１ｂが吸気弁用スプロケット５に対して過度に押圧されるのを緩和することができる。
【００２７】
また、この第３の実施の形態の構成によると、前記ガイド体８における内向き移動が解消すると、その一端部１１ｂは、弾性にて元の状態に自動的に復帰することになる。
【００２８】
なお、前記した各実施の形態は、内燃機関において、回転をクランク軸からカム軸に伝達するタイミングチエンに適用した場合であったが、本発明は、これに限らず、タイミングベルトについても同様に適用できるほか、その他の動力伝達箇所における無端チエン又は無端ベルト等の無端帯状体に対しても適用できることはいうまでもない。特に、無端ベルト等の場合には、前記ガイド体における内向き移動にてこの無端ベルト等を動力伝達輪との間に挟む状態になったとき、折れる等して動力伝達輪から離れるように構成すれば良いのである。
【図面の簡単な説明】
【図１】第１の実施の形態を示す正面図である。
【図２】第２の実施の形態を示す要部拡大図である。
【図３】第２の実施の形態において作用を示す図である。
【図４】第３の実施の形態を示す要部拡大図である。
【符号の説明】
１                            クランク軸
２，３                        カム軸
４                            主動側スプロケット（動力伝達輪体）
５，６                        従動側スプロケット（動力伝達輪体）
７                            タイミングチエン（無端帯状体）
８                            ガイド体
１０                          テンショナ
１１，１１ａ  ，１  １ｃ            一端部
【図１】
2005036856.tif 000003
【図２】
2005036856.tif 000004
【図３】
2005036856.tif 000005
【図４】
2005036856.tif 000006